(57)【要約】【課題】自己や他人が携帯端末にて撮影したデータを共有することができるとともに、時間をおいて思い出とともに振り返りながら交流を深めることができる撮影データ保存システム及びその方法を提供する。【解決手段】撮影データ保存システム１は、アプリケーションサーバ２と、データサーバ３と、前記データサーバ３にそれぞれのユーザの携帯端末４で撮影された撮影データの共通の保存領域９を確保する領域確保部６と、それぞれの携帯端末４から保存領域９に撮影データを保存するため、又はそれぞれの携帯端末４から保存領域９に保存された撮影データを閲覧するためのアクセスを制御するためのアクセス管理部７と、アプリケーションサーバ２に配され、撮影データを保存領域９を介してのみ携帯端末４で表示させるためのカメラ制御部８とを備えている。【選択図】        図１
2015156073.tif 000002
【特許請求の範囲】
【請求項１】
複数人のユーザの携帯端末に格納されたアプリケーションソフトウェアを制御するためのアプリケーションサーバと、
それぞれの前記携帯端末で撮影された撮影データを保存するためのデータサーバと、
前記アプリケーションサーバに配され、前記データサーバにそれぞれの前記携帯端末で撮影された前記撮影データの共通の保存領域を確保する領域確保部と、
前記アプリケーションサーバに配され、それぞれの前記携帯端末から前記保存領域に前記撮影データを保存するため、又はそれぞれの前記携帯端末から前記保存領域に保存された前記撮影データを閲覧するためのアクセスを制御するためのアクセス管理部と、
前記アプリケーションサーバに配され、前記撮影データを前記保存領域を介してのみ前記携帯端末で表示させるためのカメラ制御部と
を備えたことを特徴とする撮影データ保存システム。
【請求項２】
前記保存領域は前記ユーザが設定したイベント毎に形成され、
前記アクセス管理部は、前記イベントの終了を前記ユーザが予め設定した日付又は枚数にて認識し、少なくとも前記イベントの終了以後である閲覧許容期間経過後までは前記携帯端末から前記保存領域へのアクセスを遮断することを特徴とする請求項１に記載の撮影データ保存システム。
【請求項３】
前記閲覧許容期間は予め設定又はランダムに決定されることを特徴とする請求項２に記載の撮影データ保存システム。
【請求項４】
前記保存領域には、前記閲覧許容期間経過後に前記ユーザによって入力されたテキストデータが保存されることを特徴とする請求項２又は３に記載の撮影データ保存システム。
【請求項５】
請求項１に記載の撮影データ保存システムを用いた撮影データの保存方法であって、
前記ユーザからの要求により前記データサーバに前記保存領域を確保する準備工程と、
前記ユーザが前記携帯端末で撮影した前記撮影データを前記保存領域に保存する撮影工程と、
前記ユーザが前記携帯端末を用いて前記保存領域に保存された前記撮影データを閲覧する閲覧工程と
を備え、
前記撮影工程にて、前記アクセス管理部が前記撮影データを前記ユーザの前記携帯端末にて閲覧するために前記保存領域にアクセスすることを遮断することを特徴とする撮影データの保存方法。
【請求項６】
前記準備工程にて、前記保存領域は前記ユーザが設定したイベント毎に形成され、
前記閲覧工程にて、前記アクセス管理部は、前記イベントの終了を前記ユーザが予め設定した日付又は枚数にて認識し、少なくとも前記イベントの終了以後である閲覧許容期間経過後までは前記携帯端末から前記保存領域へのアクセスを遮断することを特徴とする請求項５に記載の撮影データの保存方法。
【発明の詳細な説明】
【技術分野】
【０００１】
本発明は、撮影データ保存システム及びその方法に関する。より詳しくは、複数人がそれぞれの携帯端末で撮影した画像データをサーバに共有データとして保存するためのシステム及びその方法に関するものである。
【背景技術】
【０００２】
各ユーザと画像データを共有するためのシステムが特許文献１に記載されている。特許文献１のシステムは、ある無線域内で撮影されて各ユーザが共有を許可した画像データを入手するためのものである。そのために、設定時刻内におさまる撮影画像を共有対象画像として所定条件を満たしたもののみをサーバに送信している。
【０００３】
しかしながら、このようにして得られた画像データを閲覧する場合、各ユーザがそれぞれの端末の機能を用いて閲覧するため、撮影したその場でその端末を用いて確認することになる。各ユーザは撮影データをその場で確認できるので、時間をおいてその写真を振り返って確認したり見たりすることに格別な感慨深さを感じることは稀である。
【０００４】
すなわち、写真を撮るという行為がいわゆるスマホ等の携帯端末で行われるのが主流となっている昨今、ユーザは時間、場所を問わず写真を撮ることが可能となっている。そしてその写真を自己の端末ですぐに確認できることが可能となっている。このことは、改めて写真を思い出とともに振り返ったりする機会の減少を招いている。
【０００５】
また、撮影データはすぐに他人の携帯端末に送信したり、あるいは特許文献１のようなシステムを用いて共有して閲覧することができるので、他人が撮影した画像データも自己が撮影したデータのように撮影直後に閲覧することが可能となっている。このことも、改めて他人が撮影した写真を思い出とともに振り返って交流する機会の減少を招いている。
【先行技術文献】
【特許文献】
【０００６】
【特許文献１】特開２０１２−１５０５３１号公報
【発明の概要】
【発明が解決しようとする課題】
【０００７】
本発明は、上記従来技術を考慮したものであり、自己や他人が携帯端末にて撮影したデータを共有することができるとともに、時間をおいて思い出とともに振り返りながら交流を深めることができる撮影データ保存システム及びその方法を提供することを目的とする。
【課題を解決するための手段】
【０００８】
前記目的を達成するため、本発明では、複数人のユーザの携帯端末に格納されたアプリケーションソフトウェアを制御するためのアプリケーションサーバと、それぞれの前記携帯端末で撮影された撮影データを保存するためのデータサーバと、前記アプリケーションサーバに配され、前記データサーバにそれぞれの前記携帯端末で撮影された前記撮影データの共通の保存領域を確保する領域確保部と、前記アプリケーションサーバに配され、それぞれの前記携帯端末から前記保存領域に前記撮影データを保存するため、又はそれぞれの前記携帯端末から前記保存領域に保存された前記撮影データを閲覧するためのアクセスを制御するためのアクセス管理部と、前記アプリケーションサーバに配され、前記撮影データを前記保存領域を介してのみ前記携帯端末で表示させるためのカメラ制御部とを備えたことを特徴とする撮影データ保存システムを提供する。
【０００９】
好ましくは、前記保存領域は前記ユーザが設定したイベント毎に形成され、前記アクセス管理部は、前記イベントの終了を前記ユーザが予め設定した日付又は枚数にて認識し、少なくとも前記イベントの終了以後である閲覧許容期間経過後までは前記携帯端末から前記保存領域へのアクセスを遮断する。
【００１０】
好ましくは、前記閲覧許容期間は予め設定又はランダムに決定される。
【００１１】
好ましくは、前記保存領域には、前記閲覧許容期間経過後に前記ユーザによって入力されたテキストデータが保存される。
【００１２】
また、本発明では、前記ユーザからの要求により前記データサーバに前記保存領域を確保する準備工程と、前記ユーザが前記携帯端末で撮影した前記撮影データを前記保存領域に保存する撮影工程と、前記ユーザが前記携帯端末を用いて前記保存領域に保存された前記撮影データを閲覧する閲覧工程とを備え、前記撮影工程にて、前記アクセス管理部が前記撮影データを前記ユーザの前記携帯端末にて閲覧するために前記保存領域にアクセスすることを遮断することを特徴とする撮影データの保存方法を提供する。
【００１３】
好ましくは、前記準備工程にて、前記保存領域は前記ユーザが設定したイベント毎に形成され、前記閲覧工程にて、前記アクセス管理部は、前記イベントの終了を前記ユーザが予め設定した日付又は枚数にて認識し、少なくとも前記イベントの終了以後である閲覧許容期間経過後までは前記携帯端末から前記保存領域へのアクセスを遮断する。
【発明の効果】
【００１４】
本発明によれば、ユーザが撮影した撮影データは保存領域を介してのみ携帯端末で閲覧可能であるため、ユーザはデータサーバに確保された保存領域にアクセスしなければ撮影データを閲覧することができない。それとともに保存領域は複数人のユーザが撮影した撮影データが保存される領域として共通に用いられているので、自己や他人が携帯端末にて撮影したデータを一つの保存領域にて一括して管理することができる。
【００１５】
また、保存領域はユーザが設定したイベント毎に形成され、このイベント終了以後である閲覧許容期間経過後までは携帯端末から保存領域にアクセスすることができない。すなわちユーザは閲覧許容期間経過後まで保存領域内の撮影データを閲覧することができない。これにより、撮影から時間をおいて思い出とともに振り返りながら撮影データを感慨深く閲覧することができ、他人が撮影した撮影データも思い出とともに共有して振り返ることができ、さらなる交流を深めることができる。この閲覧許容期間を予め設定した期間とすれば、その期間経過後までユーザは撮影データの閲覧を心待ちにして待つことができる。一方でランダムに決定することとすれば、突然閲覧が可能になったことの驚きをユーザに与えるとともに撮影から一定期間経過後に思い出とともに撮影データを振り返りながら閲覧できる状況を提供できる。
【００１６】
また、閲覧許容期間経過後にユーザによって入力されたテキストデータを保存領域に保存することで、撮影データに対する各ユーザの感想などとともに撮影データを振り返ることができる。
【図面の簡単な説明】
【００１７】
【図１】本発明に係る撮影データの保存システムの概略図である。
【図２】本発明に係る撮影データの保存方法のフローチャートであり、準備工程を示す。
【図３】本発明に係る撮影データの保存方法のフローチャートであり、撮影工程を示す。
【図４】本発明に係る撮影データの保存方法のフローチャートであり、閲覧工程を示す。
【図５】携帯端末に表示される画面を示す概略図である。
【図６】携帯端末に表示される画面を示す概略図である。
【図７】携帯端末に表示される画面を示す概略図である。
【図８】携帯端末に表示される画面を示す概略図である。
【図９】携帯端末に表示される画面を示す概略図である。
【発明を実施するための形態】
【００１８】
図１に示すように、本発明に係る撮影データの保存システム１は、アプリケーションサーバ２と、データサーバ３と、複数人のユーザの携帯端末４に格納されたアプリケーションソフトウェアとで形成されている。アプリケーションサーバ２は、各ユーザの携帯端末４に格納されたアプリケーションソフトウェアを制御するためのものである。データサーバ３は、各ユーザのそれぞれの携帯端末４で撮影された撮影データを保存するためのものである。アプリケーションサーバ２とデータサーバ３とはそれぞれ互いに情報を交換可能であり、サーバ２及び３と各携帯端末４とはインターネット等のネットワーク通信網５を介して互いに情報交換可能である（図１の点線で示す矢印）。なお、アプリケーションサーバ２内に配された後述する各機能（領域確保部６、アクセス管理部７、カメラ制御部８）をパッケージソフトウェアとしてユーザの携帯端末４にダウンロードさせた場合は、アプリケーションサーバ２が携帯端末４内に収まることになり、各携帯端末４とデータサーバ３とがネットワーク通信網５を介して情報のやり取りをすることになる。
【００１９】
アプリケーションサーバ２には領域確保部６が配されている。この領域確保部６は、携帯端末４で撮影された撮影データの保存領域９をデータサーバ３内に確保するためのものである。保存領域９は複数人のユーザの各携帯端末４で撮影された撮影データを共通に保存する領域として機能する。すなわち、各携帯端末４で撮影された撮影データは保存領域９で共有される。
【００２０】
また、アプリケーションサーバ２にはアクセス管理部７が配されている。このアクセス管理部７は、各携帯端末４から保存領域９へのアクセスを制御するためのものである。具体的には、各携帯端末４から保存領域９に撮影データを保存するためにアクセスすることを制御する。さらに、各携帯端末４から保存領域に保存された撮影データを閲覧するためにアクセスすることを制御する。このアクセス管理部７により限られたユーザのみが保存領域９にアクセスする状態を形成することができる。したがって、決められたユーザのみが撮影データを共通に保存して共有し、閲覧することしかできない状況を形成できる。
【００２１】
また、アプリケーションサーバ２にはカメラ制御部８が配されている。このカメラ制御部８は、撮影データを保存領域９を介してのみ携帯端末４で表示させるためのものである。すなわち、各ユーザは他人の撮影データはもちろん、自己の携帯端末４で撮影した撮影データですらネットワーク通信網５を介して保存領域９にアクセスしなければ閲覧することができない。
【００２２】
上記のような構成の撮影データの保存システム１を用いた撮影データの保存方法を以下に説明する。
【００２３】
まずは図２に示す準備工程が行われる。準備工程は保存領域９の確保要求から始まる（ステップＳ１)。この確保要求は複数人のユーザのうち、一人が行ってもよいし、複数人でまとめて行ってもよい。具体的にはユーザが携帯端末４からネットワーク通信網５を介してアプリケーションサーバ２にアクセスし、データサーバ３に保存領域９を形成したい旨の情報を送信する。この情報を送信したユーザが保存領域９に撮影データを保存できる資格を有するか、すなわち登録者か否かをアクセス管理部７が判断する。具体的にはユーザ情報がアプリケーションサーバ２内に登録されているか否かを判断し、登録情報と入力されたＩＤ等の情報とが一致するか否かを判断する（ステップＳ２)。なお、ステップＳ２の登録者であることの確認をステップＳ１に先んじて行ってもよい。
【００２４】
ユーザが登録者である場合、領域確保部６がデータサーバ３に保存領域９を確保する（ステップＳ３)。ユーザが登録者ではない場合、アプリケーションサーバ２へのユーザ情報の登録を要求する（ステップＳ４)。この後、アクセス管理部７は撮影が開始されるまで他のユーザの参加要請を受け付ける（ステップＳ５)。他のユーザとは、保存領域の確保要求（ステップＳ１)をしたユーザ以外のユーザのことである。アクセス管理部７は、この要請をしたユーザが、保存領域９の確保要求（ステップＳ１)をしたユーザ（オーナー）が許可したユーザであるか否かを判断する（ステップＳ６)。許可されたユーザである場合、保存領域９の確保要求（ステップＳ１）をしたユーザ（オーナー）とともにこれらのユーザは全てメンバーとなり、保存領域９へのアップロード権が付与される（ステップＳ７）。このアップロード権は、各携帯端末４にて撮影された撮影データを保存領域９に保存することができるように、データサーバ３の保存領域９へのアクセスをアクセス管理部７が許容することで付与される。なお、他のユーザの参加要請がない場合は保存領域９の確保要求（ステップＳ１）をしたユーザ（オーナー）のみがメンバーとなる。また、参加要請をした他のユーザに保存領域９の確保要求（ステップＳ１）をしたユーザの許可がない場合は、アクセス管理部７が参加不可の通知を送信する（ステップＳ８）。
【００２５】
このような準備工程が行われた後、図３に示す撮影工程が行われる。撮影工程は、メンバーの撮影行為にて開始される（ステップＳ９）。具体的には、ステップＳ７で保存領域９へのアップロード権を付与されたユーザであるメンバーが、それぞれの携帯端末４にて撮影を開始する。ここで、この撮影に用いられた携帯端末４のカメラ機能がアプリケーションソフトウェアによって制御されているものか否か、すなわち保存領域９に保存するために撮影されているように関連づけられたカメラ機能を用いての撮影か否かが判断される（ステップＳ１０）。具体的には、アプリケーションソフトウェアによって起動されたカメラ機能であってカメラ制御部８にて制御可能な状態であるか否かが判断される。撮影に用いられているカメラが、本発明に係るシステム１を含むアプリケーションソフトウェア以外の機能により発揮されているカメラである場合、本システム１は関与せず携帯端末４が有する機能により撮影データは所定の場所に保存される（ステップＳ１１）。
【００２６】
カメラ制御部８にて制御可能な状態で撮影されている場合、カメラ制御部８はネットワーク通信網５を介して各携帯端末４にアクセスし、撮影された撮影データを保存領域９に保存するとともに携帯端末４にその撮影データが表示されることを制限する。すなわち、撮影データは携帯端末４に対して非表示となる。このように携帯端末４に撮影データを非表示とすることで、メンバーは画像や動画等の撮影データをその場で確認することができない。したがってメンバーは所定期間をおいて撮影データを確認することになるので、思い出とともに写真を振り返りながら確認することができる。
【００２７】
以上のような撮影工程が行われた後、図４に示す閲覧工程が行われる。閲覧工程は、撮影工程から所定期間、すなわち閲覧許容期間が経過したか否かが判断されることから始まる（ステップＳ１３）。経過していない場合は経過するまで繰り返し期間経過の有無が判断される。閲覧許容期間は撮影工程の終了から撮影データを閲覧できるまでの期間である。この期間はオーナーが予め設定してもよいし、演算回路を用いてランダムに決定するようにしてもよい。この閲覧許容期間を予め設定した期間とすれば、その期間経過後までユーザ（メンバー）は撮影データの閲覧を心待ちにして待つことができる。一方でランダムに決定することとすれば、突然閲覧が可能になったことの驚きをユーザ（メンバー）に与えるとともに撮影から一定期間経過後に思い出とともに撮影データを振り返りながら閲覧できる状況を提供できる。
【００２８】
この閲覧許容期間中、メンバー以外からの参加要請があった場合（ステップＳ１４）、アクセス管理部７は、この要請をしたユーザが、オーナー又はメンバーが許可したユーザであるか否かを判断する（ステップＳ１５)。許可されたユーザである場合、この参加要請を行ったユーザはメンバーとなる。許可がなかった場合、アクセス管理部７が参加不可の通知を送信する（ステップＳ１６）。
【００２９】
閲覧許容期間の経過後、メンバーには保存領域９のデータ閲覧権が付与される（ステップＳ１７）。このデータ閲覧権は、保存領域９にネットワーク通信網５を介してアクセスし、保存領域９に保存された各ユーザ（メンバー）の撮影データの閲覧が許容される権利である。このデータ閲覧権の付与はアクセス管理部７が行う。データ閲覧権の付与とともに保存領域９へのアクセスが可能となり、撮影データの閲覧が可能となる。この閲覧開始と同時に携帯端末４にチャットウィンドウが表示される（ステップＳ１８）。メンバーは撮影データを閲覧しながらその感想等をチャットウィンドウに記入する。アクセス管理部７はチャットウィンドウに記入できる期間としての所定期間が経過したか否かを判断し（ステップＳ１９）、経過した場合はチャットウィンドウに記入された各メンバーのチャットデータ（テキストデータ）を撮影データとともに保存領域９に保存する。そして携帯端末４に対してチャットウィンドウを非表示とし、以後のチャットウィンドウへの書き込みを禁止する（ステップＳ２０）。そして、以後メンバーは保存領域９の撮影データ及びチャットデータの閲覧のみが可能となる。すなわち、メンバーにはアクセス管理部７からのデータ閲覧権が付与されたままとなる。このように撮影データに加えてチャットデータも保存することで、撮影データに対する各ユーザの感想などとともに撮影データを振り返ることができる。
【００３０】
このように、ユーザ（メンバー）が撮影した撮影データは保存領域９を介してのみ携帯端末４で閲覧可能となるため、ユーザはデータサーバ３に確保された保存領域９にアクセスしなければ撮影データを閲覧することができない。それとともに保存領域９は複数人のユーザが撮影した撮影データが保存される領域として共通に用いられているので、自己や他人が携帯端末４にて撮影したデータを一つの保存領域９にて一括して管理することができる。
【００３１】
ここで本発明に係る撮影データの保存方法の使用方法についての一例を示す。ステップＳ１にて保存領域の確保要求を行う際に、ユーザは予め設定したイベントと関連させて要求する。すなわち、イベント毎に保存領域９は領域確保部６によって確保される。そうすると、撮影工程で撮影された撮影データはイベント毎に保存領域９に保存されることになる。イベントがいつ終了したかについては、アクセス管理部７が予め設定した日付データ又は撮影された枚数によって認識する。少なくともデータ閲覧権はこのイベント終了まではメンバーに付与されない。データ閲覧権は、少なくともイベントの終了以後である閲覧許容期間経過後に付与され、それまでは携帯端末４から保存領域９へのアクセスは遮断される。このようにすることで、撮影から時間をおいて思い出とともに振り返りながら撮影データを感慨深く閲覧することができ、他人が撮影した撮影データも思い出とともに共有して振り返ることができ、さらなる交流を深めることができる。
【００３２】
本発明に係る撮影データの保存システムによって表示される携帯端末４の表示画面１１を本発明に係る撮影データの保存方法の各工程について示しながら以下に説明する。図５に示すように、準備工程のステップＳ１では、ボックス作成ボタン１０が表示されている。保存領域９はユーザの端末４では便宜上ボックスとして表記されている。なお、既に作成されているボックスにはそれぞれＩＤが付されているので、このＩＤをもとにボックスを検索できるように、ボックスＩＤ入力欄１２及び検索ボタン１３も表示画面１１には表示されている。
【００３３】
準備工程のステップＳ３のように、新規に保存領域９すなわちボックスが作成されると、図６に示すような表示画面１１となる。画面１１にはボックス毎にボックス表示欄１４が現れ、ここにボックスＩＤとメンバーの数、及び必要であればイベントの日付やタイトルが表示される。これらの情報はボックス作成時にユーザが入力する。ボックスＩＤは自動的に付与される。ボックスを作成したユーザであるオーナーが他人をメンバーとして参加させたい場合はボックス表示欄１４内に表示された招待ボタン１５をタップして招待する。なお、ボックスＩＤを頼りに検索して当該ボックス表示欄１４を表示させた他のユーザの場合、招待ボタン１５の代わりに参加ボタンが表示される。この参加ボタンをタップすることでオーナーの許可を待つ。なお、ボックス表示欄１４には、保存領域９にアクセスするためのアクセスボタン１６も表示される。アクセスボタン１６は図６に示すように保存領域９をボックスとして可視化するようにボックスの図形としてもよい。
【００３４】
撮影工程のステップＳ１２のように、ユーザによる撮影が開始されて撮影データが保存領域９に保存されると、表示画面１１内のボックス表示欄１４のアクセスボタン１６をタップしても保存領域９にアクセスできなくなる。この状態を図７に示すように、ボックスにリボンをかけるように可視化させてアクセス不可能であることを示してもよい。アクセスボタン１６をこのようなデザインとすることで、ユーザによりいっそうの写真閲覧までの楽しみを付与できる。なお、撮影中でもメンバーの募集は可能であるため招待ボタン１５は表示されたままである。
【００３５】
閲覧工程のステップＳ１７のように、メンバーにデータ閲覧権が付与されるとアクセスボタン１６をタップして保存領域９内に保存された撮影データの閲覧が可能となる。この状態を図８に示すように、ボックスが空いた状態として可視化させてアクセス可能であることを示してもよい。なお、後のチャットメンバーとして他のユーザを募集するために招待ボタン１５は表示されたままである。チャットウィンドウは、図９に示すように撮影データを表示するためのデータ表示欄１７に対して上部のタブ１８をタップして切り替えることで表示される。このとき、撮影データにはメンバー個別のＩＤを付して撮影したメンバーを特定できるようにしてもよいし、非特定としてもよい。特定できるようにすればその撮影データについて撮影者にチャットで感想を述べることができるし、非特定とすれば全員に向けてチャットで感想を述べ、チャット中で誰が撮影したか等の会話が生じ、さらに撮影データの振り返りが楽しくなる。
【００３６】
以上のように携帯端末４に表示することでシステム１全体をわかりやすいようにユーザに提供できる。
【符号の説明】
【００３７】
１：撮影データの保存システム、２：アプリケーションサーバ、３：データサーバ、４：携帯端末、５：ネットワーク通信網、６：領域確保部、７：アクセス管理部、８：カメラ制御部、９：保存領域、１０：ボックス作成ボタン、１１：表示画面、１２：ボックスＩＤ入力欄、１３：検索ボタン、１４：ボックス表示欄、１５：招待ボタン、１６：アクセスボタン、１７：データ表示欄、１８：タブ
【図１】
2015156073.tif 000003
【図２】
2015156073.tif 000004
【図３】
2015156073.tif 000005
【図４】
2015156073.tif 000006
【図５】
2015156073.tif 000007
【図６】
2015156073.tif 000008
【図７】
2015156073.tif 000009
【図８】
2015156073.tif 000010
【図９】
2015156073.tif 000011